(57)【要約】【課題】  カール機能とストレート機能の切り替えを容易にでき、その切り替えの誤操作を極力防ぐことができるとともに、収納性や携帯性を容易にできるヘアアイロンを提供する。【解決手段】  カール板１およびストレートパイプ３はそれぞれの後部部位で、固定パイプ２の後部部位に支軸により揺動可能に取り付けられている。レバー５を揺動可能に取り付けた切替ダイヤル４をグリップ部６の先端に周方向に回動可能に取り付け、カール板位置およびスレートパイプ位置に回動させ、カール機能とストレート機能の操作の切替がなされる。【選択図】図１
2013233395.tif 000002
【特許請求の範囲】
【請求項１】
グリップ部と、アイロン部とを有し、前記アイロン部は、前記グリップ部の一瑞側に形成された固定パイプと、この固定パイプの一方の側面に配置されるストレートパイプと、前記固定パイプの他方の側面に配置されるカール板と、で構成され、前記ストレートパイプは、その後端部が前記固定パイプの後端部に揺動可能に軸支され、前記カール板は、その後端部が前記固定パイプの後端部に揺動可能に軸支されたヘアアイロンであって、前記グリップ部の前記固定パイプ側の端部に、前記ストレートパイプを前記固定パイプに対して開いたストレート機能設定位置と前記カール板を前記固定パイプに対して開いたカール機能設定位置とを切り替えるための切替機構を備えたことを特徴とするヘアアイロン。
【請求項２】
前記切替機構は、前記グリップ部の周側面の周りに回動できる切替ダイヤルにレバーが設けられ、前記切替ダイヤルの一方向の回動後、前記レバーの操作によって前記ストレートパイプを前記ストレート機能設定位置に揺動でき、前記切替ダイヤルの他方向の回動後、前記レバーの操作によって前記カール板を前記カール機能設定位置に揺動できるように構成されていることを特徴とする請求項１に記載のヘアアイロン。
【請求項３】
前記切替ダイヤルは、その回動によって、前記ストレートパイプが前記ストレート機能設定位置に揺動された際に、および、前記カール板を前記カール機能設定位置に揺動された際に、前記固定パイプに内蔵されている発熱体に電気を供給するスイッチ機構を備えていることを特徴とする請求項２に記載のヘアアイロン。
【請求項４】
前記グリップ部には、前記固定パイプに内蔵されている発熱体に電気を供給し得る充電池が配置されていることを特徴とする請求項１ないし請求項３のいずれかに記載のヘアアイロン。
【請求項５】
グリップ部の底面に、充電された前記充電池により給電可能なＵＳＢジャックが備えられていることを特徴とする請求項４に記載のヘアアイロン。
【発明の詳細な説明】
【技術分野】
【０００１】  本発明は、ヘアアイロンに関し、さらに詳細には、カール機能とストレート機能を併せ持ったヘアアイロンに関するものである。
【背景技術】
【０００２】  この種のヘアアイロンは、下記特許文献１あるいは下記特許文献２に示すように、１台のヘアアイロンで、円筒状の発熱面に毛髪を巻き付けてカールする施術（カール機能）と、毛髪をストレートに伸ばすために、対向する発熱面で毛髪を挟んで梳く施術（ストレート機能）を行うことができるようになっている。【０００３】  このようなヘアアイロンは、互いに接離可能な半円形断面の一対のパイプが組み合わされて形成され、これらパイプの対向面で毛髪を挟みストレート機能を果たすとともに、一対のパイプが組合わさってできた円筒形の外周面に髪押さえ板の助けのもとに毛髪を巻き付けることによりカール機能を果たすように構成されている。【０００４】  そして、特許文献１のヘアアイロンは、上記一対のパイプのそれぞれが、握り部の半部に取り付けられ、この握り部の半部の後端で軸支された構造となっている。また、特許文献２のヘアアイロンは、握り部（グリップ）の前端にレバーが備えられ、このレバーの操作によって、クリップ板や上側バレルを下側バレルに対して揺動させる構造となっている。
【先行技術文献】
【特許文献】
【０００５】
【特許文献１】  特許第２９３７４９９号号公報
【特許文献２】  特開２００９−６６０２３号公報
【発明の概要】
【発明が解決しようとする課題】
【０００６】  しかし、特許文献１のヘアアイロンでは、上述のように一対のパイプのそれぞれが握り部の半部の後端で軸支された構造となっているので、操作が面倒であるという欠点を有する。また、カール機能とストレート機能を切り替えるとき、その都度握り部を握り替えなければならず、面倒であるという欠点も有する。さらには、一対のパイプを開くためのスライドスイッチが、握り部の通常手で握る部分に配置され、このため誤って操作してしまう場合が生じる。このように、誤って操作されると、２つのパイプがバネの力で開くため、思わぬ火傷をすることになる。【０００７】  また、特許文献２のヘアアイロンでは、上記の問題は解決されているものの、クリップ板や上側バレルを操作するレバーが本体から外方へ突出した凸形状となっているため、ヘアアイロンを使用しない収納時や携帯時に、該レバーが邪魔になり、また破損する恐れが生じる。【０００８】  それ故、本発明は、このような事情に鑑みてなされたものであり、その目的は、カール機能とストレート機能の切り替えを容易にでき、その切り替えの誤操作を極力防ぐことができるとともに、収納性や携帯性を容易にできるヘアアイロンを提供することにある。
【課題を解決するための手段】
【０００９】  上記課題は、本発明の下記（１）〜（５）の構成のいずれかによるヘアアイロンにより解決することができる。【００１０】  （１）本発明のヘアアイロンは、グリップ部と、アイロン部とを有し、前記アイロン部は、前記グリップ部の一端側に形成された固定パイプと、この固定パイプの一方の側面に配置されるストレートパイプと、前記固定パイプの他方の側面に配置されるカール板と、で構成され、前記ストレートパイプは、その後端部が前記固定パイプの後端部に揺動可能に軸支され、前記カール板は、その後端部が前記固定パイプの後端部に揺動可能に軸支されたヘアアイロンであって、前記グリップの前記固定パイプ側の端部に、前記ストレートパイプを前記固定パイプに対して開いたストレート機能設定位置と前記カール板を前記固定パイプに対して開いたカール機能設定位置とを切り替えるための切替機構を備えたことを特徴とする。【００１１】  （２）本発明のヘアアイロンは、（１）の構成において、前記切替機構は、前記グリップ部の周側面の周りに回動できる円筒状の切替ダイヤルにレバーが設けられ、前記切替ダイヤルの一方の方向の回動によって、前記ストレートパイプを前記ストレート機能設定位置に揺動でき、前記切替ダイヤルの他方の方向の回動によって、前記カール板を前記カール機能設定位置に揺動できるように構成されていることを特徴とする。【００１２】  （３）本発明のヘアアイロンは、（２）の構成において、前記切替ダイヤルは、その回動によって、前記ストレートパイプが前記ストレート機能設定位置に揺動された際に、および、前記カール板を前記カール機能設定位置に揺動された際に、前記固定パイプに内蔵されている発熱体に電気を供給するスイッチ機構を備えていることを特徴とする。【００１３】  （４）本発明のヘアアイロンは、（１）ないし（３）のいずれかの構成において、前記グリップ部には、前記固定パイプに内蔵されている発熱体に電気を供給し得る充電池が配置されていることを特徴とする。【００１４】  （５）本発明のヘアアイロンは、（１）ないし（４）のいずれかの構成において、グリップ部の底面に、充電された前記充電池により給電可能なＵＳＢジャックが備えられていることを特徴とする。
【発明の効果】
【００１５】  このように構成された本発明のヘアアイロンは、上記したようにアイロン部とグリップ部が独立して設けられているのでグリップを持つことにより毛髪のカールとストレートを容易に行うことが可能である。【００１６】  また、カール機能とストレート機能の切り替えは、切替ダイヤルをグリップの周りに回動させることにより、レバーの位置をカール板の側およびストレートパイプの側に合わせることができるため、操作性の向上と誤操作をなくすことが可能である。【００１７】  さらに、ヘアアイロンを使用しないとき、キャップを取り付けたヘアアイロンは、本体外郭部にレバーを含め比較的大きな凸部が形成されないため、収納性や携帯性に優れたものとなる。【００１８】  また、切替機構は、発熱体への電源供給のＯＮとＯＦＦが可能であり、キャップを取り付けた状態では、必ずＯＦＦになり、切替ダイヤルの回動可動を規制し、収納時や携帯時の誤操作による火傷や破損を確実に防止できるようになる。【００１９】  また、グリップ部に充電池が搭載されているため、いつでも、どこでも、毛髪のカールとストレートをすることが可能となる。【００２０】  また、グリップ部底面には充電池による給電可能なＵＳＢジャックが備えられているため、ＵＳＢジャック対応機器の使用が可能となる。
【図面の簡単な説明】
【００２１】
【図１】本発明のヘアアイロンの一実施形態を示す全体斜視図である。
【図２】本発明のヘアアイロンの一実施形態を示す６面図である。
【図３】本発明のヘアアイロンの一実施形態のカール機能を示す正面図である。
【図４】本発明のヘアアイロンの一実施形態のストレート機能を示す正面図である。
【図５】本発明のヘアアイロンの一実施形態の切替機構を示す詳細図である。
【図６】本発明のヘアアイロンの一実施形態機構を示す底面図である。
【発明を実施するための形態】
【００２２】  以下、添付図面を参照して、本発明を実施するための形態（以下、実施形態）について詳細に説明する。なお、実施形態の説明の全体を通して同じ要素には同じ番号を付している。
【００２３】（実施形態１）
図１は、本発明のヘアアイロンの実施形態１を示す全体斜視図である。また、図２において、（ａ）は該ヘアアイロンの右側面図を、（ｂ）は該ヘアアイロンの正面図を、（ｃ）は該ヘアアイロンの左側面図を、（ｄ）は該ヘアアイロンの背面図を、（ｅ）は該ヘアアイロンの天面図を、（ｆ）は該ヘアアイロンの底面図を示している。
【００２４】  図１、図２に示すように、本発明のヘアアイロン２０は、グリップ部６、このグリップ部６の先端に取り付けられたアイロン部７とで構成されている。アイロン部７は、グリップ部６の一端（先端）側に形成された固定パイプ２と、この固定パイプ２の一方の側面（図中下側）に配置されるストレートパイプ３と、前記固定パイプ２の他方の側面（図中上側）に配置されるカール板１と、で構成されている。また、グリップ部６の固定パイプ２側の端部の周面に切替機構８が取り付けられ、この切替機構８は、グリップ部６の周側面の周りに回動できる切替ダイヤル４と、この切替ダイヤル４の一部に取り付けられたレバー５を備えて構成されている。
【００２５】  ストレートパイプ３は、切替機構８側の後端部において、固定パイプ２に軸支され、この軸支部（図示せず）の周りに揺動できるようになっている。これにより、ストレートパイプ３は、固定パイプ２と接合した接合位置と、固定パイプ２に対して離れた離間位置とを取ることができるようになっている（図４参照）。この場合、ストレートパイプ３は、通常において、固定パイプ２と接合できる位置を取るよう、切替機構８に内蔵されるバネ１６（図５参照）によって固定パイプ２側に附勢されるようになっている。
【００２６】  同様に、カール板１も、切替機構８側の後端部において、固定パイプ２に軸支され、この軸支部（図示せず）の周りに揺動できるようになっている。これにより、カール板１は、固定パイプ２と接合した接合位置と、固定パイプ２に対して離れた離間位置とを取ることができるようになっている（図３参照）。この場合、カール板１は、通常において、固定パイプ２と接合できる位置を取るよう、切替機構８に内蔵される前記バネ１６によって固定パイプ２側に附勢されるようになっている。
【００２７】  前記固定パイプ２およびストレートパイプ３の接合面は、両者が協働して毛髪へのストレート機能（毛髪をストレートにする機能）を発揮できるようになっており、前記固定パイプ２およびストレートパイプ３のそれぞれの接合面は、両者協働して毛髪へのカール機能（毛髪にカールを付ける機能）を発揮できるようになっている。なお、図示していないが、固定パイプ２には発熱体が内蔵され、この発熱体からの熱によって、前記毛髪へのストレート機能あるいはカール機能の発揮を容易にできるようになっている。なお、この発熱体は、固定パイプ２に限らず、ストレートパイプ３に、あるいは、固定パイプ２およびストレートパイプの両者に内蔵されていてもよい。
【００２８】  前記切替機構８の切替ダイヤル４は、図１に示すように、図中α方向に回動させることにより、該切替ダイヤル４の一部に取り付けられたレバー４をカール板１側に位置づけることができるとともに、図中β方向に回動させることにより、該レバー４をストレートパイプ３側に位置づけるようになっている。
【００２９】  そして、レバー５がカール板１側に位置づけられる場合、該レバー５のグリップ部６側の先端が浮上し、この浮上した先端を押圧する操作をすることによって、該カール板１の先端が固定パイプ２の軸支部を中心として揺動するようになり、いわゆるカール機能設定位置にまで開くようになっている（図３の点線参照）。また、レバー５がストレートパイプ３側に位置づけられる場合、該レバー５のグリップ部６側の先端が浮上し、この浮上した先端を押圧する操作をすることによって、該ストレートパイプ３の先端が固定パイプ２の軸支部を中心として揺動するようになり、いわゆるストレート機能設定位置にまで開くようになっている（図４の点線参照）。
【００３０】  なお、図３は、ヘアアイロン２０の正面図であり、固定パイプ２に接合されるカール板１を実線で、固定パイプ２から離れるカール板１を点線で描いている。また、図４は、同様に、ヘアアイロン２０の正面図であり、固定パイプ２に接合されるストレートパイプ３を実線で、固定パイプ２から離れるストレートパイプ３を点線で描いている。
【００３１】  次に、切替ダイヤル４と、この切替ダイヤル４に取り付けられるレバー５と、カール板１との連動に関する機構を説明する。図５（ａ）は、ヘアアイロン２０のアイロン部７近傍を示す右側面図（なお、切替ダイヤル４、レバー５は取り外されている）を、図５（ｂ）は、ヘアアイロン２０のアイロン部７近傍を示す正面図を、図５（ｃ）は、図５（ｂ）のｃ−ｃ線における断面図を示している。
【００３２】  まず、図５（ｃ）に示すように、レバー５の裏面には凸部５ａが形成されており、該凸部５ａは、固定パイプ２の周側面に形成された溝２ａに嵌合されるようになっている。該溝２ａは、図５（ａ）に示すように、カール板１のグリップ部６側の端部に形成された溝１ａに連続されて形成されている。
【００３３】  これにより、切替ダイヤル４を図１の矢印α方向に回動後、レバー５の前記凸部５ａは、固定パイプ２の周側面に形成された溝２ａからカール板１に形成された溝１ａにまで導かれるようになっている。そして、レバー５の前記凸部５ａがカール板１に形成された溝１ａに至った際には、該レバー５は、図３に示すように、切替ダイヤル４との支軸５Ａを中心に回動し、図中点線で示すように、グリップ部６側の先端が該切替ダイヤル４から浮上するようになる。
【００３４】  また、この場合、図５（ｃ）に示すように、切替ダイヤル４の裏面に形成された凸部４ａが、グリップ部６に取り付けられたスイッチ１４を押圧し、該スイッチ１４をオンにするようになっている。該スイッチ１４は基板１５を介してグリップ部６に取り付けられ、該スイッチ１４がオンすることによって、固定パイプ２に内蔵される発熱体に電源を供給するように構成され、これにより、固定パイプ２、カール板１、ストレートパイプ３を加熱できるようになっている。なお、図示していないが、切替ダイヤル４と、この切替ダイヤル４に取り付けられるレバー５と、ストレートパイプ３との連動に関する機構も、上述したと同様となっている。
【００３５】  なお、図１に示したヘアアイロン２０は、カール機能もストレート機能も有さないいわゆるオフ状態を示しており、この場合において、アイロン部７には、固定パイプ２、カール板１、およびストレートパイプ３を被うようしてキャップ１０が嵌合できるようになっている。また、この場合、該キャップ１０の嵌合によって、切替ダイヤル４の回動が規制されるようになっており、たとえば固定パイプ２に内蔵される発熱体に電源を供給するスイッチ（スイッチ機構）１４が動作することのないようになっている。
【００３６】  また、キャップ１０は、グリップ部６、レバー５を接合させた切替ダイヤル４とほぼ同径の形状で形成され、これにより、表面に凸部の少ない形状として構成することができ、意匠性にも優れた形状として構成できるようになっている。
【００３７】  このように構成されたヘアアイロン２０において、カール機能をもたせる場合について説明する。まず、図１に示すように、固定パイプ２、ストレートパイプ３、およびカール板１を被いグリップ部６に嵌合されているキャップ１０を該グリップ部６から外す。次に、切替ダイヤル４を矢印αの方向に９０度回動させるようにする。この場合、レバー５の裏面に形成された凸部５ａが、固定パイプ２の周面に形成された溝２ａからカール板１に形成された溝１ａに導かれるようになる。そして、該レバー５は、図３に示すように、切替ダイヤル４との支軸を中心に回動し、図中点線で示すように、グリップ部６側の端部（先端）が該切替ダイヤル４から浮上するようになる。そして、この際、図５（ｃ）に示すように、切替ダイヤル４の裏面に形成された凸部４ａが、グリップ部６に取り付けられたスイッチ１４を押圧し、該スイッチ１４をオンにするようになる。該スイッチ１４は基板１５を介してグリップ部６に取り付けられ、該スイッチ１４がオンすることによって、固定パイプ２に内蔵される発熱体に電源を供給するように構成され、これにより、固定パイプ２、カール板１、ストレートパイプ３を加熱するようになる。
【００３８】  つぎに、図３に示すように、レバー５を、図中点線で示すように、グリップ部６側へ押圧するようにする。この場合、レバー５の凸部５ａはカール板１の溝部１ａに勘合係止されているため、該カール板１の溝部１ａの周辺が押されることになり、カール板１は、固定パイプ２との支軸（図示しない）を中心に回動し、先端が該固定パイプ２から離間するように揺動する。これにより、固定パイプ２とカール板１との間には、毛髪を挿入できる充分な隙間が形成されるようになる。この場合、固定パイプ２に対するカール板１の上述した動作は、グリップ部６に内蔵されたバネ１６の附勢力に抗してなされるようになっている。
【００３９】  そして、固定パイプ２とカール板１との間に毛髪を挿入した後、レバー５を離すことにより、前記バネ１６に付勢力によって、カール板１の先端が固定パイプ２側へ傾倒するように揺動し、毛髪を固定パイプ２とカール板１とで挟み込むようになる。この状態でグリップ部６を回動させることにより毛髪は発熱されたアイロン部７に巻き付き、カールされるようになる。
【００４０】  このようにして、毛髪のカールが終了した場合、図１に示すように、切替ダイヤル４を矢印βの方向に９０度回動させるようにする。これにより、レバー５の凸部５ａが、カール板１に形成された溝１ａから固定パイプ２の周面に形成された溝２ａに導かれるようになる。そして、該レバー５は、図１に示すように、切替ダイヤル４との支軸を中心に回動し、先端が該切替ダイヤル４に接合するようになる。また、切替ダイヤル４の上述した回動によって、切替ダイヤル４の裏面に形成された凸部４ａのスイッチ１４への押圧を解除し、該スイッチ１４がオフすることによって、固定パイプ２に内蔵される発熱体への電源の供給が停止される。これにより、アイロン機能は使用できなくなる。
【００４１】  次に、ヘアアイロン２０において、ストレート機能をもたせる場合について説明する。図１に示すように、切替ダイヤル４を矢印βの方向に９０度回動させるようにする。この場合、レバー５の裏面に形成された凸部５ａが、固定パイプ２の周面に形成された溝２ａからストレートパイプ３に形成された溝３ａに導かれるようになる。そして、該レバー５は、図４に示すように、切替ダイヤル４との支軸を中心に回動し、図中点線で示すように、グリップ部６側の端部（先端）が該切替ダイヤル４から浮上するようになる。そして、この際、カール機能をもたせる場合の説明で示したように、切替ダイヤル４の裏面に形成された凸部４ａが、グリップ部６に取り付けられたスイッチ１４を押圧し、該スイッチ１４をオンにするようになる。該スイッチ１４がオンすることによって、固定パイプ２に内蔵される発熱体に電源を供給するように構成され、これにより、固定パイプ２、カール板１、ストレートパイプ３を加熱するようになる。
【００４２】  つぎに、図４に示すように、レバー５を、図中点線で示すように、グリップ部６側へ押圧するようにする。この場合、レバー５の凸部５ａはカール板１の溝部１ａに勘合係止されているため、該ストレートパイプ３の溝部３ａの周辺が押されることになり、ストレートパイプ３は、固定パイプ２との支軸（図示しない）を中心に回動し、先端が該固定パイプ２から離間するように揺動する。これにより、固定パイプ２とストレートパイプ３との間には、毛髪を挿入できる充分な隙間が形成されるようになる。この場合、固定パイプ２に対するストレートパイプ３の上述した動作は、グリップ部６に内蔵されたバネ１６の附勢力に抗してなされるようになっている。
【００４３】  そして、固定パイプ２とストレートパイプ３との間に毛髪を挿入した後、レバー５を離すことにより、前記バネ１６に付勢力によって、ストレートパイプ３の先端が固定パイプ２側へ傾倒するように揺動し、毛髪を固定パイプ２とストレートパイプ３とで挟み込むようになる。この状態でアイロン部７を毛髪に沿って移動させることにより、該毛髪は加熱されたアイロン部７によってストレートになる。
【００４４】  このようにして、毛髪をストレートにした後、図１に示すように、切替ダイヤル４を矢印αの方向に９０度回動させるようにする。これにより、レバー５の凸部５ａが、ストレートパイプ３に形成された溝３ａから固定パイプ２の周面に形成された溝２ａに導かれるようになる。そして、該レバー５は、図１に示すように、切替ダイヤル４との支軸を中心に回動し、先端が該切替ダイヤル４に接合するようになる。また、切替ダイヤル４の上述した回動によって、切替ダイヤル４の裏面に形成された凸部４ａのスイッチ１４への押圧を解除し、該スイッチ１４がオフすることによって、固定パイプ２に内蔵される発熱体への電源の供給が停止される。これにより、アイロン機能は使用できなくなる。そして、最後に、アイロン部７がいまだ高温となっているため、キャップ１０を取り付け、火傷等の事故を防止するようにする。
【００４５】  この場合、上述したようにキャップ１０の取り付けにより、切替ダイヤル４の回動可動を規制でき、収納時や携帯時の該切替ダイヤル４の誤操作を回避でき、これにより、火傷や破損を確実に防止できる効果を奏するようになる。
【００４６】  上述したことから明らかなように、本発明のヘアアイロン２０によれば、カール機能とストレート機能の切り替えを容易にでき、その切り替えの誤操作を極力防ぐことができるとともに、収納性や携帯性を容易にすることができる。
【００４７】  本発明のヘアアイロン２０は、切替ダイヤル４を回動させ、該切替ダイヤルに取り付けられているレバー５をカール板１あるいはストレートパイプ３に合わせることにより、それぞれカール機能あるいはストレート機能をもたせるようにしたものである。このため、操作性の向上と誤操作をなくすことを図る効果を奏するようになる。なお、切替ダイヤル４の回動可動角度は、上記実施態様では、それぞれ９０度である場合を示したが、これに限定されることはなく、６０度から１２０度までの範囲内で行うようにしてもよい。
【００４８】  本発明のヘアアイロン２０は、たとえば図３に示すように、グリップ部６に充電池１１を搭載するようにしてもよい。この場合、ヘアアイロン２０の底面図である図６に示すように、前記充電池１１は、ヘアアイロン２０の底面に取り付けられたアダプタージャック１８およびＵＳＢジャック１７により、充電できるように構成してもよい。これにより、充電された充電池１１により、いつでも、どこでも、毛髪のカールとストレートをすることができるようになる。
【００４９】  本発明のヘアアイロン２０にＵＳＢジャック１７が取り付けられていることにより、ＬＥＤライト、マッサージ器、小型扇風機などのＵＳＢ仕様の機器を接続することにより、いつでも、どこでも、充電池１１を電源としてそれぞれに給電可能にできるようになる。
【００５０】  尚、本発明のヘアアイロン２０においては、必ずしも充電池１１を具備させる必要はなく、たとえば、コンセントから交流電源をヘアアイロン２０に直接供給して本発明を実施するようにしてもよいことはもちろんである。
【００５１】  以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００５２】１  カール板
１ａ  ミゾ
２  固定パイプ
２ａ  ミゾ
３  ストレートパイプ
３ａ  ミゾ
４  切替ダイヤル
４ａ  凸部
５  レバー
５ａ  凸部
５Ａ  支軸
６  グリップ部
７  アイロン部
８  切替機構
１０  キャップ
１１  充電池
１２  給電ボタン
１３  回転軸
１４  スイッチ（スイッチ機構）
１５  基板
１６  バネ
１７  ＵＳＢジャック
１８  アダプタージャック
２０  本体
【図１】
2013233395.tif 000003
【図２】
2013233395.tif 000004
【図３】
2013233395.tif 000005
【図４】
2013233395.tif 000006
【図５】
2013233395.tif 000007
【図６】
2013233395.tif 000008